(57)【特許請求の範囲】
【請求項１】
アクティブマトリックス有機発光ダイオード（ＡＭＯＬＥＤ）ディスプレイパネルのホワイトバランスを動的に調整するためのアクティブマトリックス有機発光ダイオード（ＡＭＯＬＥＤ）駆動制御回路であって、
前記アクティブマトリックス有機発光ダイオード（ＡＭＯＬＥＤ）ディスプレイパネルの走査線を制御するために、水平走査信号を生成するゲート駆動回路と、
前記水平走査信号に応じて前記ＡＭＯＬＥＤディスプレイパネルにビデオデータを加えるソース駆動回路と、
前記AMOLEDディスプレイパネル内の赤、緑及び青の画素を駆動させるための電源として機能する複数のプログラム可能電源を生成するプログラム可能電圧生成器と、
前記ゲート駆動回路、前記ソース駆動回路及び前記プログラム可能電圧生成器に接続されたタイミング制御回路とを備え、
該タイミング制御回路は、前記ゲート駆動回路及び前記ソース駆動回路の間の前記ビデオデータの提示のタイミングを制御し、前記ＡＭＯＬＥＤディスプレイパネルの固定値よりも大きいグレーレベルを有する画素の数に応じて前記プログラム可能電源の電圧値を動的に各色の輝度レベルの経時的変化に起因するホワイトバランスの劣化を補正するように調整し、
前記タイミング制御回路は、前記ゲート駆動回路及び前記ソース駆動回路の間の前記ビデオデータの提示のタイミングを制御するためのソース及びゲートタイミングデータ制御回路と、信号伝送インターフェイスとしてのインターフェイス処理回路と、前記ソース及びゲートタイミングデータ制御回路及び前記インターフェイス処理回路に接続され、前記アクティブマトリックス有機発光ダイオード（ＡＭＯＬＥＤ）ディスプレイパネルの使用状態に応じて前記プログラム可能電源の前記電圧値を設定するためのパラメータを調整し、前記インターフェイス処理回路を介して前記プログラム可能電圧生成器に前記パラメータを提示するホワイトバランス調整回路とを備えることを特徴とするアクティブマトリックス有機発光ダイオード（ＡＭＯＬＥＤ）駆動制御回路。
【請求項２】
前記ホワイトバランス調整回路は、少なくとも前記ビデオデータをプリセットデータ値と比較し、第１比較信号を生成する第１比較器と、該第１比較器に接続され、前記第1比較信号に基づきカウント値を計算するカウンタと、該カウンタに接続され、前記カウント値をプリセットカウント値と比較し、第２比較信号を生成する第２比較器と、該第２比較器に接続され、プリセットタイム期間の経過後に前記第２比較信号に基づき調整信号を生成するＡＮＤロジックユニットと、該ＡＮＤロジックユニットに接続され、前記調整信号に応じて前記プログラム可能電源の前記電圧値を設定するための前記パラメータを提供し、前記インターフェイス処理回路を介して前記プログラム可能電圧生成器に前記パラメータを送るパラメータ設定ユニットとを備えることを特徴とする請求項１に記載のアクティブマトリックス有機発光ダイオード（ＡＭＯＬＥＤ）駆動制御回路。
【請求項３】
前記プリセットデータ値、前記プリセットカウント値及び前記プリセットタイム期間は、読み取り専用メモリユニット内に記憶されることを特徴とする請求項２に記載のアクティブマトリックス有機発光ダイオード（ＡＭＯＬＥＤ）駆動制御回路。
【請求項４】
前記プリセットデータ値、前記プリセットカウント値及び前記プリセットタイム期間は、電気的消却・プログラム可能型読取専用メモリ内に記憶されることを特徴とする請求項２に記載のアクティブマトリックス有機発光ダイオード（ＡＭＯＬＥＤ）駆動制御回路。
【請求項５】
前記プリセットデータ値、前記プリセットカウント値及び前記プリセットタイム期間は、フラッシュメモリユニット内に記憶されることを特徴とする請求項２に記載のアクティブマトリックス有機発光ダイオード（ＡＭＯＬＥＤ）駆動制御回路。
【請求項６】
前記インターフェイス処理回路は、シリアル伝送インターフェイスを備えることを特徴とする請求項１に記載のアクティブマトリックス有機発光ダイオード（AMOLED）駆動制御回路。
【請求項７】
AMOLEDディスプレイパネル内の赤、緑及び青の画素を駆動させるための電源として機能する複数のプログラム可能電源を設け、
前記アクティブマトリックス有機発光ダイオード（ＡＭＯＬＥＤ）ディスプレイパネルの固定値よりも大きいグレーレベルを有する画素の数に応じて前記プログラム可能電源の電圧値を動的に各色の輝度レベルの経時的変化に起因するホワイトバランスの劣化を補正するように調整し、
前記アクティブマトリックス有機発光ダイオード（ＡＭＯＬＥＤ）ディスプレイパネルの使用状態に応じて前記プログラム可能電源の前記電圧値を動的に調整する工程は、ビデオデータを受信し、前記ビデオデータをプリセットデータ値と比較し、前記ビデオデータが前記プリセットデータ値以上である場合、カウンタ内の値を増加し、前記カウンタ値をプリセットカウント値と比較し、前記カウント値が前記プリセットカウント値以上である場合、プリセットタイム期間の経過後前記プログラム可能電源の前記電圧値を調整することを特徴とするＡＭＯＬＥＤ駆動制御回路を用いたアクティブマトリックス有機発光ダイオード（ＡＭＯＬＥＤ）ディスプレイパネルのホワイトバランスの動的調整方法。
【請求項８】
前記タイミング制御回路は、前記ＡＭＯＬＥＤディスプレイパネルの固定値よりも大きいグレーレベルを有する画素の数及びディスプレイ時間に応じて前記プログラム可能電源の電圧値を動的に各色の輝度レベルの経時的変化に起因するホワイトバランスの劣化を補正するように調整することを特徴とする請求項１に記載のアクティブマトリックス有機発光ダイオード（ＡＭＯＬＥＤ）駆動制御回路。
【請求項９】
前記アクティブマトリックス有機発光ダイオード（ＡＭＯＬＥＤ）ディスプレイパネルの使用状態に応じて前記プログラム可能電源の前記電圧値を動的に調整する工程は、前記アクティブマトリックス有機発光ダイオード（ＡＭＯＬＥＤ）ディスプレイパネルの固定値よりも大きいグレーレベルを有する画素の数及びディスプレイ時間に応じて前記プログラム可能電源の電圧値を動的に各色の輝度レベルの経時的変化に起因するホワイトバランスの劣化を補正するように調整することを特徴とする請求項７に記載のＡＭＯＬＥＤ駆動制御回路を用いたアクティブマトリックス有機発光ダイオード（ＡＭＯＬＥＤ）ディスプレイパネルのホワイトバランスの動的調整方法。
【発明の詳細な説明】
【技術分野】
【０００１】
本発明は、アクティブマトリックス有機発光ダイオード（AMOLED）駆動制御回路及び駆動方法に関する。特に、本発明は、ホワイトバランスを動的調整可能なアクティブマトリックス有機発光ダイオード（AMOLED）駆動制御回路及びその調整方法に関する。
【背景技術】
【０００２】
半導体製造技術の急速な発展に伴い、パーソナルコンピュータ、携帯電話、携帯情報端末及びデジタルカメラ等の種々のタイプの情報処理装置が開発されている。情報機器において、最も重要な要素の一つは、ディスプレイ装置である。フラットパネルディスプレイは、軽量且つ薄型であり、消費電力が少ないため、最も人気のあるディスプレイ製品の一つとなってきている。
【０００３】
アクティブマトリックス有機発光ダイオード（AMOLED）ディスプレイは、広視野角、良好なカラーコントラスト、迅速な応答及び低生産コストを含む多くの利点を有するフラットパネルディスプレイ特有のタイプである。現在、電子時計、携帯電話、携帯情報端末及びデジタルカメラ等の小さなディスプレイを必要とする多くの装置は、AMOLEDディスプレイを使用している。
【発明の開示】
【発明が解決しようとする課題】
【０００４】
しかしながら、赤（R）、緑（G）及び青（B）の光を生成する有機発光ダイオード内の物質は異なっているため、各色の輝度レベルは、長期に渡る使用により変化する場合がある。最終的には、OLEDディスプレイパネルのホワイトバランスが、低下する場合もある。図１は、赤、緑及び青の光を生産するための３つのタイプの高分子量の発光物質の寿命に対する輝度レベルの曲線を示す。図１では、明るい曲線は、赤、緑及び青の高分子量の発光物質の輝度レベルの経時的減衰度を示す。３つの高分子量の発光物質の経時的減衰度が同一でないことは明らかである。各色の輝度レベルは、ある期間の経過後変化し、これにより、ディスプレイパネルでのホワイトバランスの低下を招く。
【０００５】
従って、本発明の少なくとも一つの目的は、使用状態によりアクティブマトリックス有機発光ダイオード（AMOLED）ディスプレイパネルのホワイトバランスを動的に調整可能なアクティブマトリックス有機発光ダイオード（AMOLED）駆動制御回路及びその調整方法を提供することである。
【課題を解決するための手段】
【０００６】
このような目的及び他の利点を達成するために、本発明の目的に応じてここで実施され広く説明されるように、本発明は、アクティブマトリックス有機発光ダイオード（AMOLED）ディスプレイパネルを駆動可能なアクティブマトリックス有機発光ダイオード（AMOLED）駆動制御回路及びアクティブマトリックス有機発光ダイオード（AMOLED）ディスプレイパネルのホワイトバランスを動的に調整可能なアクティブマトリックス有機発光ダイオード（AMOLED）駆動制御回路を提供する。AMOLED駆動制御回路は、ゲート駆動回路、ソース駆動回路、プログラム可能電圧生成器及びタイミング制御回路を備える。ゲート駆動回路は、AMOLEDディスプレイパネルの走査線ディスプレイを制御するための水平走査信号を生成する。ソース駆動回路は、水平走査信号と一体化し、ディスプレイ走査線のビデオデータをAMOLEDディスプレイパネルに送信する。プログラム可能電圧生成器は、AMOLEDディスプレイ内の赤、緑及び青の画素の電源として機能する複数のプログラム可能電源を生成する。タイミング制御回路は、ゲート駆動回路、ソース駆動回路及びプログラム可能電圧生成器に接続され、ゲート駆動回路及びソース駆動回路の間のビデオデータのタイミングを制御する。AMOLEDディスプレイパネルの使用状態に応じて、タイミング制御回路は、プログラム可能電源の電圧値を動的に調整する。これにより、AMOLEDディスプレイパネルのホワイトバランスも調整される。
【０００７】
本発明の一つの実施態様では、タイミング制御回路は、更に、ソース及びゲートタイミングデータ制御回路、インターフェイス処理回路及びホワイトバランス調整回路を備える。ソース及びゲートタイミングデータ制御回路は、ゲート駆動回路及びソース駆動回路の間のビデオデータのタイミングを制御する。インターフェイス処理回路は、信号伝送インターフェイスとして機能する。ホワイトバランス調整回路は、ソース及びゲートタイミングデータ制御回路及びインターフェイス処理回路に接続される。ホワイトバランス調整回路は、AMOLEDディスプレイパネルの使用状態に応じてプログラム可能電源の電圧値を変更するための調整可能パラメータを設定し、インターフェイス処理回路を介してプログラム可能電圧生成器にパラメータを送る。
【０００８】
本発明の一つの実施態様では、AMOLEDディスプレイパネルの使用状態又は物質劣化度は、設定期間内のビデオデータで表示されたグレーレベルが、２５５等のプリセット値を超えているか否かにより判断される。その判断結果により、プログラム可能電源の電圧値を設定するための調整可能パラメータの値が決定される。従って、ホワイトバランス調整回路は、少なくとも、第1比較器、カウンタ、第２比較器、ANDロジックユニット及びパラメータ設定ユニットを備える。
【０００９】
第1比較器は、ビデオデータをプリセットデータ値と比較し、第1比較信号を生産する。入力ビデオデータの表示されたグレーレベルがプリセットデータ値以上の場合、第1比較信号が送られる。カウント値を保持するためのカウンタは、第1比較器に接続され、これによりカウント値は、第1比較信号を受信すると、例えば、１増加する。第２比較器は、カウンタに接続され、カウンタにより登録されたカウント値をプリセットカウント値と比較し、第２比較信号を生成する。プリセット値以上のビデオデータの表示されたグレーレベルの数が、設定カウント値に到達すると、第二比較信号が送られる。ANDロジックユニットは、第２比較器に接続され、所定期間の経過後、第２比較信号に応じて調整信号を生成する。パラメータ設定ユニットは、ANDロジックユニットに接続され、調整信号に応じてプログラム可能電源の電圧値を変更するための調整可能パラメータを設定し、インターフェイス処理回路を介してプログラム可能電源にパラメータ値を送る。
【００１０】
上述のプリセットデータ値、プリセットカウント値及びプリセットタイム期間を、読み取り専用メモリ、電気的消却・プログラム可能型読取専用メモリ又はフラッシュメモリに保存することができる。上述のインターフェイス処理回路を、IICのようなシリアル伝送インターフェイスとすることもできる。
【００１１】
本発明は、また、AMOLED駆動制御回路を用いるアクティブマトリックス有機発第オード（AMOLED）ディスプレイパネルのホワイトバランスを動的に調整する方法を提供する。該方法は、次の工程を含む。まず、AMOLEDディスプレイパネル内で赤、緑及び青の画素を駆動させるための電源として機能する複数のプログラム可能電源を設ける。その後、AMOLEDディスプレイパネルの使用状態に応じて、種々のプログラム可能電源の電圧値を動的に調整する。
【００１２】
AMOLEDディスプレイパネルの使用状態に応じたプログラム可能電源の電圧値の調整方法は、ビデオデータを受信し、ビデオデータをプリセットデータ値と比較する。ビデオデータが、プリセットデータ値以上、又は、即ち、ビデオデータの表示されたグレーレベルが、２５５のプリセットデータ値以上であると、カウンタ内の値は１増加する。その後、カウンタにより登録された値をプリセットカウント値と比較する。プリセットタイム期間が経過し、カウンタ内の値がプリセットタイム値以上であると、これは、ディスプレイパネル内の物質の劣化度がすでに許容レベルを超えたことを表す。従って、AMOLEDディスプレイパネルでのより良好なホワイトバランスを得るために、プログラム可能電源の電圧値を調整する。
【発明の効果】
【００１３】
従って、本発明のAMOLED駆動制御回路及び調整方法は、パネル内の発光物質の劣化度に応じてAMOLEDディスプレイパネルのホワイトバランスを動的に調整することができる。従って、AMOLEDディスプレイパネルは、より良好な且つ長期的なホワイトバランスを得ることができる。
【発明を実施するための最良の形態】
【００１４】
上述の一般的な説明及び以下の詳細な説明は、例示的なものであり、請求されるような本発明の更なる説明を提供することを意図とする。
【００１５】
本発明の好ましい実施態様を詳細に説明するために、符号を添付図面に示される例に用いる。可能な限り同一又は同様の部分を参照するために、同一符号を、図面及び説明に用いる。
【００１６】
添付図面は、本発明を更に理解するために含まれ、本明細書の一部に組み込まれ、本発明の一部を構成する。図面は、説明と共に本発明の実施態様を示し、本発明の原理を説明する。
【実施例】
【００１７】
図２は、AMOLEDディスプレイパネルにおけるアクティブマトリックス有機発光ダイオードの画素回路を示す等価図である。図２に示すように、アクティブマトリックス有機発光ダイオード（AMOLED）画素は、第1トランジスタ２１０、第２トランジスタ２２０、キャパシタ２３０及び有機発光ダイオード２４０を有する。第1トランジスタ２１０のゲート端末は、走査線に接続されており、第1トランジスタ２１０のドレイン端末は、データ線に接続されている。第1トランジスタ２１０のソース端末は、第２トランジスタ２２０のゲート端末と同様にキャパシタ２３０の一方の端末に接続されている。第２トランジスタ２２０のドレイン端末は、電源Vｄｄに接続されており、第２トランジスタ２２０のソース端末は、有機発光ダイオード２４０の陽極に接続されている。
【００１８】
水平走査信号が、走査線を介して画素に加えられると、トランジスタ２１０はオンされ、その結果、データ線の電圧Vgが、第２トランジスタ２２０のゲート端末に印加される。一般的に、有機発光ダイオード２４０の輝度レベルは、有機発光ダイオード２４０を流れる電流Iｄに比例している。従って、有機発光ダイオード２４０の表示されたグレーレベルを、データ線のビデオデータを示す電圧値により制御することができる。
【００１９】
AMOLEDディスプレイパネルが長時間に渡り使用されると（図１参照）、赤、緑及び青の光の輝度レベルが、赤、緑及び青の光を生産するための高分子量の発光物質の劣化度の違いにより変化する可能性がある。３原色の輝度レベルの不均一性は、しばしば、ホワイトバランスの問題を招く。本発明では、有機発光ダイオード２４０を流れる電流Iｄの大きさを調整するために、図２の電源Vddの電圧をリセットすることができる。これにより、有機発光ダイオード２４０の実際の光度を変更することができる。供給電圧の調整効果を、図３に示すトランジスタの電圧曲線に対する特性電流から観察することができる。
【００２０】
図４は、本発明の一つの実施態様によるAMOLEDディスプレイパネルのホワイトバランスを動的に調整するためのAMOLED駆動制御回路の回路図である。図４に示すように、AMOLED駆動制御回路は、ゲート駆動回路４１０、ソース駆動回路４２０、プログラム可能電圧発生器４３０及びタイミング制御回路４４０を備える。AMOLED駆動制御回路は、AMOLEDディスプレイパネル４５０内の赤（R）、緑（G）及び青（B）の画素のアレイを駆動する。
【００２１】
ゲート駆動回路４１０は、AMOLEDディスプレイパネル４５０の走査線を制御するための水平走査信号を生成する。ソース駆動回路４２０は、表示を意図するビデオデータに応じてソース信号を付与し、AMOLEDディスプレイパネル４５０内の水平走査線に対応する画素に送る。プログラム可能電圧発生器４３０は、Vｄｄ_r  及びVｓｓ_ｒと、Vｄｄ_ｇ及びVｓｓ_ｇと、Vｄｄ_ｂ及びVｓｓ_ｂとのような複数のプログラム可能電源を生成する。これらの電源は、AMOLEDディスプレイパネル４５０内の赤（R）、緑（G）及び青（B）の画素の電源として機能する。タイミング制御回路４４０は、ゲート駆動回路４１０、ソース駆動回路４２０及びプログラム可能電圧生成器４３０に接続されおり、ゲート駆動回路４１０及びソース駆動回路４２０の間のビデオデータの提示のタイミングを制御する。ディスプレイ時間と、固定値より大きいグレーレベルを有する画素の数等のAMOLEDディスプレイパネル４５０の使用状態に応じて、プログラム可能電源Vｄｄ_ｒ及びVｓｓ_ｒと、Vｄｄ_ｇ及びVｓｓ_ｇと、Vｄｄ_ｂ及びVｓｓ_ｂとの電圧は、動的に調整される。これにより、理想的なホワイトバランスが、AMOLEDディスプレイパネル４５０で常に維持される。
【００２２】
図５は、本発明の一つの実施態様によるタイミング制御回路のブロック図である。図５に示すように、タイミング制御回路４４０は、ソース及びゲートタイミングデータ制御回路５１０、インターフェイス処理回路５３０及びホワイトバランス調整回路５２０を備える。ソース及びゲートタイミングデータ制御回路５１０は、ゲート駆動回路４１０及びソース駆動回路４２０の間のビデオデータの提示のタイミングを制御する。インターフェイス処理回路５３０は、信号伝送のインターフェイスとして機能するIIC等のシリアル伝送インターフェイスを提供する。ソース及びゲートタイミングデータ制御回路５１０と、インターフェイス処理回路５３０とに接続されたホワイトバランス調整回路５２０は、固定値より大きい表示されたグレーレベルを有する画素の数と、ディスプレイ時間とのようなAMOLEDディスプレイパネルの使用状態に応じてプログラム可能電源の電圧値を設定するためのパラメータを調整するために使用される。その後、ホワイトバランス調整回路５２０は、インターフェイス処理回路５３０を介してプログラム可能電圧生成器４３０に電圧値を変更するためのパラメータを送る。
【００２３】
図６は、１６領域に区画された１０２４×７６８の解像度を有するディスプレイパネルを示す。図４及び図５に示す回路と、本発明のAMOLED駆動制御回路とによると、プログラム可能電源の電圧は、例えば、ディスプレイ時間と、固定値より高い表示されたグレーレベルを有する画素の数とに基づき調整される。駆動状態又は、AMOLEDディスプレイパネルの発光物質の劣化度をより正確に測定するために、ホワイトバランス調整回路５２０は、プログラム可能電源の電圧値を正確に設定することができ、AMOLEDディスプレイパネルは、１６領域に区画される。各領域は、指定期間内で固定値より大きい表示されたグレーレベルとなるアクティブマトリックス有機発光ダイオードの数の計数を行なう。従って、収集されたデータは、発光物質の劣化度を判断するための基礎として機能する。この分野に精通している人であれば、AMOLEDディスプレイパネルを、所望の数の計数領域に分割することができることは明らかである。
【００２４】
図７は、本発明の一つの実施態様によるホワイトバランス調整回路の回路図である。図７に示すように、ホワイトバランス調整回路は、少なくとも第1比較器７１０、カウンタ７２０、第２比較器７３０、ANDロジックユニット７４０及びパラメータ設定ユニット７５０を備える。第1比較器７１０、カウンタ７２０、第２比較器７３０及びANDロジックユニット７４０が、AMOLEDディスプレイパネルの一つの領域内のプリセットタイム期間及びプリセットカウント値の状態を判断するために使用されることは明らかである。より多くの領域の状況を検知するために、それに応じて比較器及びカウンタの数を増やす必要がある。
【００２５】
図７では、第1比較器７１０は、表示されるビデオデータを２５５のようなプリセットデータ値と比較し、第1比較信号C1を生成するために用いられる。第1比較信号C1は、入力ビデオデータの表示されたグレーレベルがプリセットデータ値信号以上の場合に生産される。ここでは、２５５のグレーレベルを有するプリセットデータ値が基準として用いられると、物質の最大劣化度を有する全ての８ビットの表示されたビデオデータを、検知することができる。
【００２６】
更に、カウンタ７２０は、第1比較器７１０に接続されており、第1比較信号C1が届くとカウンタ７２０内のカウント値を更新する。例えば、第1比較器７１０から比較信号C１を受信すると、カウンタ７２０内のカウント値は１増える。第２比較器７３０は、カウンタ７２０に接続されており、カウンタ７２０内のカウント値をプリセットカウント値と比較し、第２比較信号C2を生成する。即ち、第２比較器７３０は、プリセットデータ値以上のグレーレベルを有する表示されたビデオデータの数がプリセットカウント値を超えているかを判断するためにチェックする。ANDロジックユニット７４０は、第２比較器７３０に接続されており、プリセット期間の経過後、第２比較信号C2に応じて調整信号ADJを生成する。パラメータ設定ユニット７５０は、ANDロジックユニット７４０に接続されており、調整信号ADJに応じてプログラム可能電源の電圧値を設定するためのパラメータを調整し、その後、インターフェイス処理回路５３０を介してプログラム可能電圧生成器４３０にパラメータを送る。
【００２７】
本実施態様では、プリセットデータ値、プリセットカウント値及びプリセットタイム期間を、例えば、読み取り専用メモリ（ROM）、電気的消去・プログラム可能型読取専用メモリ（EEPROM）又は、フラッシュメモリに記憶することができる。更に、これらの全ての値は、メモリから読み出され、AMOLEDディスプレイパネルが駆動される毎に比較データとして機能する。
【００２８】
図８は、本発明の一つの実施態様によるAMOLED駆動制御回路を用いるAMOLEDディスプレイパネルのホワイトバランスを動的に調整するための工程を示す。本方法は、AMOLEDディスプレイパネルのホワイトバランスを動的に調整することができる。まず、AMOLEDディスプレイパネル内の赤、緑及び青の画素の電源として機能する複数のプログラム可能電源を設ける。その後、AMOLEDディスプレイパネルの使用状態に応じて、種々のプログラム可能電源の電圧値を動的に調整する。上述のAMOLEDディスプレイパネルは、１６領域に区画されている。画素を調整するために各領域で行なわれる工程は同一であるため、図８は、第1領域内のみの画素を調整するための工程を示す。
【００２９】
ステップ８１０では、外部からビデオデータを得る。ステップ８２０では、AMOLEDディスプレイパネル内でいずれの領域に属するかを判断するために、ビデオデータをチェックする。その後、流れは、得られたビデオデータがいずれの領域に属するかにより分かれる。例えば、ビデオデータを、AMOLEDディスプレイパネルの第1領域に属すると判断すると、ステップ８３０を実行し、ビデオデータを２５５のグレーレベルを有するプリセットデータと比較する。ビデオデータがプリセットデータ値以上であると、ステップ８４０を実行し、カウント値は増加する。ステップ８５０では、カウント値をプリセットカウント値と比較し、プリセット値のリミットが経過した場合、カウント値がプリセットカウント値より小さいか否かを判断する。プリセットタイムリミットの経過後カウント値がプリセットカウント値以上であると、AMOLEDディスプレイパネル内の発光物質の劣化が許容値を超えたとみなされる。この場合、ステップ８６０を実行し、種々のプログラム可能電源の電圧値を調整し、より良好なホワイトバランスを有するAMOLEDディスプレイパネルを提供する。基準値としてのプリセットタイムリミット及びプレセットカウント値を、実際の要件に応じて変更することができることは明らかである。更に、一組のプリセットタイムリミット及び一組のプリセットカウント値を用いることもできる。
【００３０】
本発明の範囲又は精神から逸脱しない限り、本発明の構造に種々の改良及び変形が施されることは、当業者にとって明らかである。上記を考慮して、本発明は、以下の請求項及びその均等の範囲に収まる本発明の変形や変化を含む。
【図面の簡単な説明】
【００３１】
【図１】赤、緑及び青の光を生産するための３つのタイプの高分子量の発光物質の寿命に対する輝度レベルの曲線を示す。
【図２】アクティブマトリックス有機発光ダイオードの画素回路を示す等価図である。
【図３】図２に示す回路内のトランジスタの特徴曲線を示す図である。
【図４】本発明の一つの実施態様によるAMOLEDディスプレイパネルのホワイトバランスを動的に調整するためのAMOLED駆動制御回路の回路図である。
【図５】本発明の一つの実施態様によるタイミング制御回路のブロック図である。
【図６】１６領域に区画された１０２４×７６８の解像度を有するディスプレイパネルを示す図である。
【図７】本発明の一つの実施態様によるホワイトバランス調整回路の回路図である。
【図８】本発明の一つの実施態様によるAMOLED駆動制御回路を用いるAMOLEDディスプレイパネルのホワイトバランスを動的に調整するための工程を示すフローチャートである。
【符号の説明】
【００３２】
２１０  第1トランジスタ
２２０  第２トランジスタ
２３０  キャパシタ
２４０  有機発光ダイオード
４１０  ゲート駆動回路
４２０  ソース駆動回路
４３０  プログラム可能電圧生成器
４４０  タイミング制御回路
４５０  AMOLEDディスプレイパネル
５１０  ソース及びゲートタイミングデータ制御回路
５２０  ホワイトバランス調整回路
５３０  インターフェイス処理回路
７１０  第1比較器
７２０  カウンタ
７３０  第２比較器
７４０  ANDロジックユニット
７５０  パラメータ設定ユニット
【図１】
0004847034.tif 000002
【図２】
0004847034.tif 000003
【図３】
0004847034.tif 000004
【図４】
0004847034.tif 000005
【図５】
0004847034.tif 000006
【図６】
0004847034.tif 000007
【図７】
0004847034.tif 000008
【図８】
0004847034.tif 000009